(57)【特許請求の範囲】
【請求項１】
複数の発光素子が表面に設けられた板状部を備える灯体と、前記発光素子に電力を供給する電源回路、或いは外部の電源に接続される電源線を収めるケース体と、を備えた照明装置において、
前記板状部に表裏に貫通する貫通孔を形成し、当該貫通孔の周囲に前記発光素子を配置するとともに、前記発光素子が配置された前記板状部の表面を前記貫通孔に係合する開口が形成された前面カバーで覆い、前記貫通孔に連通する無底筒状の通風部を前記板状部の裏面に設け、前記通風部の内外周面の両方に前記通風部に沿って上下に延びる複数の放熱フィンを前記板状部の裏面に設け、前記通風部の端部に隙間を設けて前記ケース体を連結し、前記ケース体と前記通風部の間の隙間を前記通風部の周方向の外部に開放し、
前記灯体は、前記板状部の表裏に貫通する通気孔に連通し、前記通風部の端部の隙間に繋がる通気ダクトを前記通風部の外周面に備え、
前記通気ダクトを、前記ケース体から延びる前記発光素子に電力を供給する電線を通す配線経路とした
ことを特徴とする照明装置。
【請求項２】
前記前面カバーに通気口を設けたことを特徴とする請求項１に記載の照明装置。
【請求項３】
前記ケース体は、設置面に着脱自在に取り付ける取付ユニットを備えることを特徴とする請求項１または２に記載の照明装置。
【発明の詳細な説明】
【技術分野】
【０００１】
本発明は、高天井用照明装置に用いて好適な照明装置に関する。
【背景技術】
【０００２】
従来、工場や体育館、商業施設等の屋内の天井に高天井用照明装置を設置して照明する屋内用の照明装置が知られている（例えば、特許文献１参照）。
【先行技術文献】
【特許文献】
【０００３】
【特許文献１】特開２００９−３０１７１８号公報
【発明の概要】
【発明が解決しようとする課題】
【０００４】
ところで、近年、高天井用照明装置の省エネルギー化、及び、長寿命化を実現するために、照明装置の光源にＬＥＤ等の発光素子を用いることが検討されている。しかしながら、ＬＥＤ等の発光素子を光源として用いる場合には、発光素子、及び、発光素子が実装される実装基板の発熱を効率よく放熱させる必要がある。そのため、照明装置に放熱フィン等の放熱構造を設ける必要があり、照明装置の重量が大きくなってしまうという問題がある。
本発明は、上述した従来の技術が有する課題を解消し、軽量で、且つ、放熱性に優れた照明装置を提供することを特徴とする。
【課題を解決するための手段】
【０００５】
上記目的を達成するために、本発明は、複数の発光素子が表面に設けられた板状部を備える灯体と、前記発光素子に電力を供給する電源回路、或いは外部の電源に接続される電源線を収めるケース体と、を備えた照明装置において、前記板状部に表裏に貫通する貫通孔を形成し、当該貫通孔の周囲に前記発光素子を配置するとともに、前記発光素子が配置された前記板状部の表面を前記貫通孔に係合する開口が形成された前面カバーで覆い、前記貫通孔に連通する無底筒状の通風部を前記板状部の裏面に設け、前記通風部の内外周面の両方に前記通風部に沿って複数の放熱フィンを前記板状部の裏面に垂直に設け、前記通風部の端部に隙間を設けて前記ケース体を連結し、前記ケース体と前記通風部の間の隙間を前記通風部の周方向の外部に開放し、前記灯体は、前記板状部の表裏に貫通する通気孔に連通し、前記通風部の端部の隙間に繋がる通気ダクトを前記通風部の外周面に備え、前記通気ダクトを、前記ケース体から延びる前記発光素子に電力を供給する電線を通す配線経路としたことを特徴とする。
【０００７】
また、本発明は、上記の照明装置において、前記前面カバーに通気口を設けたことを特徴とする。
【０００９】
また、本発明は、上記の照明装置において、前記ケース体は、設置面に着脱自在に取り付ける取付ユニットを備えることを特徴とする。
【発明の効果】
【００１０】
本発明によれば、複数の発光素子が表面に設けられた板状部と、前記発光素子に電力を供給する電源回路、或いは外部の電源に接続される電源線を収めるケース体と、を備えた照明装置において、前記板状部に表裏に貫通する貫通孔を形成し、当該貫通孔の周囲に前記発光素子を配置するとともに、当該貫通孔に連通する無底筒状の通風部を裏面に設け、当該通風部の端部に隙間を設けて前記ケース体を連結し、前記ケース体と前記通風部の間の隙間を前記通風部の周方向の外部に開放したため、貫通孔、及び、隙間を設けることで、材料を減らし、軽量化を図ることができ、更に、板状部の表側から通風部を通り、隙間を通じて周方向の外部に至る空気の流れが形成され、この空気の流れによって板状部の表側で発生する発光素子の熱を外部に逃がすことができ、軽量で、且つ、放熱性に優れた照明装置を提供することができる。
【図面の簡単な説明】
【００１１】
【図１】本発明の実施形態に係る照明装置を示す斜視図である。
【図２】照明装置の平面図である。
【図３】照明装置の分解斜視図である。
【図４】取付ユニットにケース体を取り付ける施工時の照明装置の状態を示す図である。
【図５】照明装置の断面図である。
【図６】前面カバーを取り外した照明装置を示す斜視図である。
【図７】前面カバーを取り外した照明装置の下面図であり、図７（Ａ）は、実装基板及び発光素子のみを設けた状態を示す図、図７（Ｂ）は、絶縁シートを設けた状態を示す図、図７（Ｃ）は、反射鏡を設けた状態を示す図である。
【発明を実施するための形態】
【００１２】
以下、本発明の実施の形態を、図面を参照しながら説明する。
図１は、本実施形態に係る照明装置１の一態様を示す図である。本構成に係る照明装置１は、例えば、工場や体育館、商業施設等の屋内の天井に吊り下げられて用いられる高天井用の照明装置として好適に用いることができる。なお、本実施形態において、照明装置１の上下とは、照明装置１を天井に吊り下げて設置した状態での照明装置１の上下を示す。
照明装置１は、灯体１０と、ケース体３０と、取付ユニット４０と、を備える。灯体１０は、後述する発光素子１１を備え、この発光素子１１の発光を、前面カバー（グローブ）２０を介して照射する、照明装置１の光源ユニットである。
【００１３】
照明装置１は、図示は省略するが、ケース体３０の内部に電源回路を収容し、この電源回路を介して灯体１０に電力を供給する。照明装置１は、或いは、照明装置１の外部に設けられた電源回路に、ケース体３０の内部に収容された電源線を接続して、この電源線を通じて灯体１０に電力を供給する構成であっても良い。取付ユニット４０は、照明装置１を設置面に取り付けるために、ケース体３０に設けられ、照明装置１は、この取付ユニット４０を設置面に固定したままの状態で、灯体１０、及び、ケース体３０を取付ユニット４０から着脱自在に取り付けることができる。灯体１０は、照射開口１９側の下底が、上底よりも大きい円錐台形状に形成され、ケース体３０は、灯体１０の上底の径寸法に対して、連続性を損なうことなく灯体１０に連結され得る径寸法の筒状に形成される。この構成によれば、照明装置１の意匠性を損なうことなく、灯体１０と、ケース体３０と、を連結させることができる。灯体１０と、ケース体３０の間には、外周方向に開放する隙間Ｓが設けられる。
【００１４】
灯体１０は、板状部１３を備える。板状部１３の略中央には、板状部１３を表裏に貫通する貫通孔１４が形成されている。灯体１０は、この貫通孔１４に連通する無底筒状の通風部１５を板状部１３の裏面１３Ｂに備える。通風部１５は、灯体１０と、ケース体３０の間の隙間Ｓに連通すると共に、隙間Ｓを介して、照明装置１の外周方向に開放している。灯体１０は、板状部１３Ｂの裏面１３Ｂに、この通風部１５に沿って配置される放熱フィン１６を備える。放熱フィン１６は、通風部１５を中心に放射状に設けられ、通風部１５の外周面１５Ａに設けられた外周側放熱フィン１７と、内周面１５Ｂに設けられた内周側放熱フィン１８と、を備える。外周側放熱フィン１７は、通風部１５に沿って延びる複数の放熱フィン（長尺フィン）１７Ａと、長尺フィン１７Ａの外周側に配置され、長尺フィン１７Ａよりも短く形成された短尺フィン１７Ｂと、を備える。照明装置１の周囲には、灯体１０の下側から、通風部１５を通って、隙間Ｓから外周方向に流れる空気の流れが形成される。内周側放熱フィン１８は、この通風部１５を通る空気の流れによって冷やされるため、灯体１０の内部の熱を内周側放熱フィン１８から効率よく放熱させることができる。
【００１５】
放熱フィン１６は、照明装置１を軽量化するために、アルミニウムやマグネシウムなどの軽量、且つ、放熱性に優れた金属を用いて、ダイキャストで成形される。放熱フィン１６は、長尺フィン１７Ａ、短尺フィン１７Ｂ、及び、内周側放熱フィン１８には成形方向に対して抜きテーパが付けられ、下部が上部に比べて肉厚に形成されて、板状部１３の裏面１３Ｂに垂直となるように設けられている。この構成によれば、長尺フィン１７Ａ、短尺フィン１７Ｂ、及び、内周側放熱フィン１８から成る放熱フィン１６は、鋳造時に容易に型から抜き取ることができる。また、長尺フィン１７Ａ、及び、短尺フィン１７Ｂは、外周面１５Ａに沿って略直角三角形状に形成される。
外周側放熱フィン１７は、図１、図２に示すように、短尺フィン１７Ｂと、長尺フィン１７Ａとを繋ぐつなぎ部１７Ｃを備える。短尺フィン１７Ｂは、高さ方向Ｈ１、及び、長さ方向Ｌ１の寸法が、長尺フィン１７Ａの高さ方向Ｈ２、及び、長さ方向Ｌ２の寸法よりも短く形成され、つなぎ部１７Ｃは、短尺フィン１７Ｂの内周側端部１７Ｄから隣接する長尺フィン１７Ａに延びている。この構成によれば、放熱フィン１６につなぎ部１７Ｃを設けることで、放熱フィン１６の放熱面積を増加させることができる。
【００１６】
隣合う長尺フィン１７Ａ間には、放熱フィン１６をダイキャストで成形可能とするために所定の間隔が設けられる。この長尺フィン１７Ａ間の間隔は、板状部１３の径方向の外周側に向かって大きくなるため、この間隔を利用して、長尺フィン１７Ａの外周側に、短尺フィン１７Ｂが設けられている。この構成によれば、放熱フィン１６の鋳造性を損なうことなく、放熱面積を大きくし、放熱性を高めることができる。
また、短尺フィン１７Ｂと、長尺フィン１７Ａとを繋ぐつなぎ部１７Ｃを設けることで、鋳造時の金属材料の流動性が改善され、長尺フィン１７Ａの上端部の薄肉の部分まで材料の流れが改善されるため、長尺フィン１７Ａの成形不良を防止することができる。
【００１７】
灯体１０は、図１に示すように、照射開口１９に、板状部１３の表面１３Ａを覆う前面カバー２０を備える。前面カバー２０には、貫通孔１４に係合する開口２０Ａが形成され、開口２０Ａは、貫通孔１４、及び、通風部１５に連通する。前面カバー２０には、表裏に貫通する通気口２１が設けられる。通気口２１は、前面カバー２０の外周、及び、開口２０Ａに沿って、周方向に複数設けられる。この通気口２１からは、通風部１５を通る空気の流れに沿って、空気が前面カバー２０の内部に流入するように構成されている。
【００１８】
ケース体３０は、図３に示すように、有底筒状のケース部３１と、ケース部３１の下端部３２から下方に延びる連結部３３と、を備える。ケース部３１は、外周面に沿って上下に延び、放射状に設けられた複数の放熱フィン３９を備える。ケース体３０の内部に電源回路を収容した場合、電源回路からの発熱を、この放熱フィン３９によって効率よく外部に放熱させることができる。
連結部３３は、ケース部３１の外周面に、周方向に等間隔で４本設けられたアーム３３Ａ，３３Ｂを備える。アーム３３Ａは、固定用アーム３３Ａであり、対向する１対の固定用アーム３３Ａには、ケース体３０を灯体１０に螺子３４で固定するための固定部３５が形成されている。また、アーム３３Ｂは、後述する灯体１０の通気ダクト２２が連結される、通気用アーム３３Ｂである。この、対向する１対の通気用アーム３３Ｂは、中空無底形状に形成されるととともに、灯体１０と、ケース体３０の間の隙間Ｓに対向する面３６が開放する、断面略コ字状に形成されている。ケース体３０の底面３８には、灯体１０から延びる配線が接続されるコネクタ３７が設けられる。
【００１９】
ケース体３０の上部には、取付ユニット４０が備えられる。取付ユニット４０は、設置面にねじ、或いは、吊金具等で固定される。ケース体３０の上端部には、引掛部４１が設けられ、取付ユニット４０には、この引掛部４１が引き掛けられて、ケース体３０を保持する保持部４２が設けられる。
ケース体３０は、図４に示すように、連結部３３で灯体１０と連結されて、灯体１０と、ケース体３０と、を一体に、取付ユニット４０に着脱自在に取り付けることができる。取付ユニット４０は、設置面に予め固定しておくことができ、設置面に予め固定された取付ユニット４０の保持部４２に引掛部４１を引き掛けることで、簡単に、灯体１０と、ケース体３０と、を一体に設置面に対して着脱自在に取り付けることができる。
【００２０】
ところで、高天井用照明装置においては、高い場所での作業であるため、例えば、一方の手で照明装置を保持した状態で、他方の手で照明装置を設置面に固定するための螺子止め等をおこなう設置作業は容易ではなかった。本構成によれば、設置面に予め固定された取付ユニット４０に、灯体１０と、ケース体３０と、を一体に両手で保持して引き掛けて、着脱自在に取り付けることができるため、照明装置１の設置作業を簡単に、且つ、安全に行うことができる。ケース体３０と、取付ユニット４０は、設置面に予め固定された取付ユニット４０の保持部４２にケース体３０の引掛部４１を引き掛けて、灯体１０、及び、ケース体３０を一体に、取付ユニット４０の保持させた状態で、ねじ５１で、固定される。この構成によれば、照明装置１を設置面に簡単に取り付けることができ、更に、照明装置１の設置面への取付後に、取付ユニット４０から、ケース体３０が外れるのを防止することができる。
【００２１】
また、取付ユニット４０には、設置面に対向する面に設けられ、表裏に貫通する配線孔４８が設けられ、この配線孔４８を介して、電源線４９（図５参照）が照明装置１に接続される。
灯体１０には、図５に示すように、板状部１３の表面１３Ａに、発光素子１１が設けられる。発光素子１１は、板状部１３に形成された貫通孔１４の周囲に周方向に並べて複数配置される。板状部１３の表面１３Ａには、実装基板１２が熱的に接続されて設けられ、発光素子１１は、この実装基板１２に実装されて備えられる。板状部１３と、前面カバー２０の間の空間には、反射鏡２３が設けられる。発光素子１１が放射する光の放射方向は、反射鏡２３によって任意の方向に設定することができる。本実施形態では、反射鏡２３は、図６に示すように、切頭四角錐状に形成された反射体２３Ａを貫通孔１４の周囲に多数配列したものであり、各反射体２３Ａの切頭部２３Ｂに、発光素子１１が配置されている。
【００２２】
また、灯体１０は、図５に示すように、板状部１３の裏面１３Ｂから、通風部１５の端部１５Ｃの隙間Ｓに繋がる通気ダクト２２を備える。通気ダクト２２は、通気用アーム３３Ｂに繋がり、通気用アーム３３Ｂの開放した面３６を介して、隙間Ｓに連通する。板状部１３には、図７に示すように、表裏に貫通する通気孔２６が形成され、通気孔２６には、通気ダクト２２が接続される。この構成によって、灯体１０には、通風部１５の外周面１５Ａとの間で、板状部１３の通気孔２６から、通気ダクト２２によって通風部１５の端部１５Ｃの隙間Ｓに繋がる通気路が形成される。上述したように、前面カバー２０に設けられた通気口２１からは、前面カバー２０の内側に空気が流入するため、灯体１０の内部には、この空気が、通気孔２６、及び、通気ダクト２２を通って、隙間Ｓへと流れる空気の流れが形成される。この構成によれば、発光素子１１、及び／或いは、実装基板１２からの発熱を、灯体１０内に形成される空気の流れと共に、通気孔２６から、通気ダクト２２、及び、通気用アーム３３Ｂを介して、通風部１５の端部１５Ｃの隙間Ｓから放熱させることができる。そのため、灯体１０の内部に発光素子１１、或いは、実装基板１２からの熱が籠ることなく、照明装置１の外部に排熱されるため、灯体１０の放熱性を向上することができる。さらに、灯体１０に通気ダクト２２を形成することで、灯体１０の軽量化を図ることができ、灯体１０の放熱性と、軽量化の両方の効果を同時に得ることができる。
【００２３】
また、通気ダクト２２は、発光素子１１に電力を供給する電線２４を通す配線経路として用いることができる。電線２４は、通気ダクト２２の内部を通して通風部１５の端部１５Ｃの隙間Ｓに引き出され、ケース体３０の底面３８に設けられたコネクタ３７に接続される。この構成によれば、電線２４を灯体１０の外側を通すことなく、通気ダクト２２の内部を通して配線することができ、照明装置１の意匠性を向上することができる。さらに、通気ダクト２２を、放熱用のダクト、及び、配線用のダクトとして兼用することができるため、灯体１０の鋳造コストの削減を図ることができる。
【００２４】
また、通風部１５の外周面１５Ａには、図６に示すように、外観が通気ダクト２２の外観と同様の形状に形成された連結固定部２７が設けられる。連結固定部２７は、通気ダクト２２と、通気用アーム３３Ｂと、を合わせた際に、固定用アーム３３Ａに対応する位置に設けられ、連結固定部２７の上端部には、図３に示すように、ねじ３４が螺合される螺合部２８が形成される。固定用アーム３３Ａと、連結固定部２７とは、固定部３５と、螺合部２８とが、係止可能に構成され、固定部３５と、螺合部２８と、をねじ３４でねじ止めして、灯体１０と、ケース体３０と、を一体に固定することができる。
【００２５】
図７は、前面カバー２０を取り外した照明装置１を、照射面側から視た図である。
板状部１３は、図７に示すように、貫通孔１４を略中央に備える円環状に形成される。板状部１３は、表面１３Ａが、図７（Ａ）に示すように、板状部１３の裏面１３Ｂから通風部１５の外周面１５Ａに沿って延びる通気ダクト２２、及び、連結固定部２７で略４等分に区切られている。表面１３Ａには、各通気ダクト２２、連結固定部２７間にそれぞれ略矩形に形成された実装基板１２が配置され、この実装基板１２に、照射開口１９に対向して発光素子１１が実装されている。発光素子１１としては、ＬＥＤや、有機ＥＬ等を好適に用いることができる。発光素子１１の発光面１１Ａ側からは、図７（Ｂ）に示すように、発光面１１Ａに対応する孔２５Ａを備えた、例えばセラミック製の絶縁シート２５が表面１３Ａに取り付けられる。板状部１３には、さらに、図７（Ｃ）に示すように、絶縁シート２５を間に挟んで、反射鏡２３がねじ２８で固定されている。
【００２６】
コネクタ３７は、ケース体３０の底面３８に設けられ、コネクタ３７の接続口３７Ａは、通風部１５に向かって開口している。底面３８には、ケース体３０の剛性を高めるために、略十字に配置された断面コ字状のコ字状金具４６が設けられ、このコ字状金具４６には、ケース体３０の内部に連通する連通孔４７が複数設けられている。この構成によれば、ケース体３０の内部に収容される電源回路等からの発熱を、この連通孔４７を介してケース体３０と、灯体１０の間の隙間Ｓに排熱することができ、ケース体３０の内部に熱が籠るのを防止することができる。
【００２７】
以上説明したように、本発明を適用した実施形態によれば、複数の発光素子１１が表面１３Ａに設けられた板状部１３と、発光素子１１に電力を供給する電源回路、或いは外部の電源に接続される電源線を収めるケース体３０と、を備えた照明装置１において、板状部１３に表裏に貫通する貫通孔１４を形成し、当該貫通孔１４の周囲に発光素子１１を配置するとともに、当該貫通孔１４に連通する無底筒状の通風部１５を裏面に設け、当該通風部１５の端部１５Ｃに隙間Ｓを設けてケース体３０を連結し、ケース体３０と通風部１５の間の隙間Ｓを通風部１５の周方向の外部に開放した。これにより、貫通孔１４、通風部１５、及び、隙間Ｓを設けることで、灯体１０を形成する材料が低減され、照明装置１を軽量化することができる。さらに、通風部１５が隙間Ｓを通じて周方向の外部に連通されることから、灯体１０の下側から通風部１５を通って上側に流れ、灯体１０と、ケース体３の間の隙間Ｓから周方向に外部に流れる空気の流れが形成される。そして、この空気の流れによって灯体１０を空冷によって冷やすことができ、灯体１０の内部に収容された発光素子１１の発熱を効率よく放熱させることができる。そのため、軽量、且つ、放熱性に優れた照明装置１を提供することができる。
【００２８】
また、本発明を適用した実施形態によれば、板状部１３の表面１３Ａを覆い、かつ貫通孔１４に係合する開口２０Ａが形成された前面カバー２０を備えるとともに、板状部１３に表裏に貫通する通気孔２６を形成し、通風部１５の外周面１５Ａとの間で板状部１３の裏面１３Ｂの通気孔２６から通風部１５の端部１５Ｃの隙間Ｓに繋がる通気路を形成する通気ダクト２２を設けた。これにより、貫通孔１４を前面カバー２０で塞ぐことなく、開口２０Ａ、貫通孔１４を介して通風部１５に空気を流すことができ、この空気の流れで灯体１０を効率よく空冷することができる。また、発光素子１１の発熱を、前面カバー２０と、板状部１３の表面１３Ａとの間に籠もることなく、通気孔２６、及び、通気ダクト２２を介して隙間Ｓから効率良く外部に逃がすことができるため、灯体１０の放熱性を向上させることができる。さらに、通気ダクト２２は、通風部１５の外周面１５Ａとの間で中空の通気路を形成するため、灯体１０の軽量化を図ることができる。また、通気ダクト２２を発光素子１１に接続される電線２４の配線経路としても利用することができるため、電線２４を通すための配線用ダクトを別途に設ける必要がなく、鋳造時のコスト削減を図ることができ、電線２４を照明装置１の外観上見えることなく配線することができるため、照明装置１の意匠性も向上する。
【００２９】
また、本発明を適用した実施形態によれば、前面カバー２０に通気口２１を設けたため、この通気口２１から、前面カバー２０の内側に空気を流して、灯体１０の内部に通気ダクト２２へと繋がる空気の流れを形成することができるため、発光素子１１からの発熱が灯体１０の内部に籠ることなく、この空気の流れによって通気ダクト２２を介して隙間Ｓから照明装置１の外部に排熱される。これにより、灯体１０の内部の熱を効率よく放熱させることができる。
【００３０】
また、本発明を適用した実施形態によれば、板状部１３の裏面１３Ｂに、通風部１５に沿って延びる複数の放熱フィン１６を備えたため、通風部１５の放熱面積を大きくすることができ、放熱フィン１６により照明装置１の放熱性を高めることができる。
【００３１】
また、本発明を適用した実施形態によれば、ケース体３０は、設置面に着脱自在に取り付ける取付ユニット４０を備える。これにより、取付ユニット４０を設置面に予め固定させて、この取付ユニット４０に対してケース体３０を両手で保持した状態で簡単に着脱自在に取り付けることができる。そのため、高天井等に取り付けられる照明装置１を簡単に、且つ、安全に取り付けることができ、照明装置１の施工性を向上することができる。
【００３２】
以上、実施形態に基づいて本発明を説明したが、本発明はこれに限定されるものではない。本実施形態では、内周側放熱フィン１８は、通風部１５内を流れる空気の流れ方向に平行に設けられる構成としたが、これに限らず、通風部１５内を流れる空気の通風抵抗となることなく、適度に通風部１５の放熱面積を増やすことができ、且つ、灯体１０の鋳造性を損ねることなく成形できる形状であれば、任意の形状、及び、配置とすることができる。
【符号の説明】
【００３３】
１  照明装置
３  ケース体
１０  灯体
１１  発光素子
１３  板状部
１３Ａ  表面
１３Ｂ  裏面
１４  貫通孔
１５  通風部
１５Ａ  外周面
１５Ｂ  内周面
１５Ｃ  端部
１６  放熱フィン
１７Ａ  長尺フィン
１７Ｂ  短尺フィン
２０  前面カバー
２０Ａ  開口
２１  通気口
２２  通気ダクト
２６  通気孔
３０  ケース体
４０  取付ユニット
Ｓ  隙間
【図１】
0005789164.tif 000002
【図２】
0005789164.tif 000003
【図３】
0005789164.tif 000004
【図４】
0005789164.tif 000005
【図５】
0005789164.tif 000006
【図６】
0005789164.tif 000007
【図７】
0005789164.tif 000008